(57)【要約】【課題】簡単かつ安価な構成で、遊技球の挙動を多様化して興趣に富んだ遊技を可能にする。【解決手段】遊技領域に配設されてパチンコ球Ｓの落下流通を許容する球流通部材３０として、該遊技領域を流下するパチンコ球Ｓを球入口３２ａを介して通入させる球導入路３２と、球導入路３２の下流側に連通接続する分流室３４と、分流室３４に夫々連通接続して、該分流室３４から流入した前記パチンコ球Ｓを球出口から遊技領域に通出させる第１球通路３７および前記第２球通路３９と、該分流室３４に流入する前記パチンコ球Ｓを個別に収容可能な複数の受容部を有する回転部材４１とから構成する。そして、前記受容部に収容したパチンコ球Ｓの自重により前記回転部材４１を回動させて、パチンコ球Ｓを第１球通路３７または第２球通路３９の何れかに通出させるようにした。【選択図】  図６
2004275274.tif 000002
【特許請求の範囲】
【請求項１】
遊技盤に配設され、該遊技盤に画成された遊技領域における遊技球の落下流通を許容する球流通部材であって、
前記遊技領域を流下する遊技球を球入口を介して通入させる球導入路と、
前記球導入路の下流側に連通接続し、球通入口を介して前記遊技球を流入させる分流室と、
前記分流室に連通接続し、該分流室から流入した前記遊技球を球出口から前記遊技領域に通出させる第１球通路と、
前記分流室に連通接続し、該分流室から流入した前記遊技球を球出口から前記遊技領域に通出させる第２球通路と、
前記分流室内に回動可能に配設され、該分流室に流入する前記遊技球を個別に収容可能な複数の受容部を有し、該受容部に収容された遊技球の自重により回動される回転部材とからなり、
前記受容部に収容した前記遊技球を、前記回転部材の回動に伴い分流室から前記第１球通路または第２球通路の何れかに通出させるよう構成した
ことを特徴とする球流通部材。
【請求項２】
前記受容部の少なくとも１つには、前記分流室に流入した遊技球を、前記第１球通路または第２球通路に向けて通出案内する案内手段が設けられている請求項１記載の球流通部材。
【請求項３】
前記複数の受容部は、前記案内手段が設けられた第１の受容部と、該案内手段が設けられていない第２の受容部とからなり、該第２の受容部には、第１の受容部から案内手段により遊技球が通出される一方の球通路への遊技球の通出を阻止する規制手段が設けられている請求項２記載の球流通部材。
【請求項４】
前記回転部材には、前記第２の受容部が前記第１の受容部より多く形成された請求項３記載の球流通部材。
【請求項５】
前記回転部材は、その重心位置が回転部材の回転中心に対して偏心するよう設定した請求項１〜４の何れかに記載の球流通部材。
【請求項６】
前記分流室の球通入口は、その中心を通過する鉛直線が前記回転部材の回転中心から径方向に変移する位置に設けられている請求項１〜５の何れかに記載の球流通部材。
【請求項７】
前記球通入口における前記回転部材の回転中心を通過する鉛直線に近接する一方の開口端縁から該回転部材の軸部までの長さ寸法は、前記遊技球の直径寸法より小さく設定され、前記球通入口における回転部材の回転中心を通過する鉛直線から離間する他方の開口端縁から回転部材の軸部までの長さ寸法は、該遊技球の直径寸法より大きく設定される請求項６記載の球流通部材。
【請求項８】
前記分流室は、前記球通入口を挟んで第１内面と第２内面とを有し、該球通入口の中心を通過する鉛直線に対して前記軸部とは反対側に位置する第１内面から軸部までの長さ寸法は、前記遊技球の直径より大きく設定されると共に、該球通入口の中心を通過する鉛直線に対して軸部側に位置する第２内面から軸部までの長さ寸法は、該遊技球の直径より小さく設定され、前記球通入口から分流室に流入した遊技球が、前記第２内面側に入り込まないよう構成されている請求項６記載の球流通部材。
【請求項９】
前記分流室の全部または一部が透視可能な部材で形成されて、前記遊技盤の前面側から前記回転部材を視認し得るようになっている請求項１〜８の何れかに記載の球流通部材。
【請求項１０】
前記遊技盤に画成した遊技領域に配設され、該遊技領域に設けられた入賞具に向けて遊技球を案内する球誘導路を本体の内側下部に形成してなる装飾部材であって、
前記本体に、
前記遊技領域を流下する遊技球を球入口を介して通入させる球導入路と、前記球導入路の下流側に連通接続し、球通入口を介して前記遊技球を流入させる分流室と、前記分流室に連通接続し、該分流室から流入した前記遊技球を第１球出口から通出させる第１球通路と、前記分流室に連通接続し、該分流室から流入した前記遊技球を第２球出口から通出させる第２球通路と、前記分流室内に回動可能に配設され、該分流室に流入する前記遊技球を個別に収容可能な複数の受容部を有し、該受容部に収容された遊技球の自重により回動される回転部材とを備え、前記受容部に収容した前記遊技球を、前記回転部材の回動に伴い分流室から前記第１球通路または第２球通路の何れかに通出させる球流通部材が配設され、
前記第１球通路の第１球出口または第２球通路の第２球出口から前記球誘導路に遊技球を通出するよう構成した
ことを特徴とする球流通部材を備える装飾部材。
【請求項１１】
前記遊技盤に画成した遊技領域に配設され、該遊技領域に設けられた入賞具に向けて遊技球を案内する球誘導路を本体の内側下部に形成してなる装飾部材であって、
前記本体に、
前記遊技領域を流下する遊技球を球入口を介して通入させる球導入路と、前記球導入路の下流側に連通接続し、球通入口を介して前記遊技球を流入させる分流室と、前記分流室に連通接続し、該分流室から流入した前記遊技球を第１球出口から前記本体の内側下部に通出させる第１球通路と、前記分流室に連通接続し、該分流室から流入した前記遊技球を第２球出口から前記本体の内側下部に通出させる第２球通路と、前記分流室内に回動可能に配設され、該分流室に流入する前記遊技球を個別に収容可能な複数の受容部を有し、該受容部に収容された遊技球の自重により回動される回転部材とを備え、前記受容部に収容した前記遊技球を、前記回転部材の回動に伴い分流室から前記第１球通路または第２球通路の何れかに通出させる球流通部材が配設され、
前記球誘導路は、前記第１球通路の第１球出口に連接される第１球誘導路と、前記第２球通路の第２球出口に連接される第２球誘導路とからなり、
前記第１球通路を介して前記第１球誘導路に通出する前記遊技球の前記入賞具への入賞確率と、前記第２球通路を介して前記第２球誘導路に通出する遊技球の入賞具への入賞確率とに差を設け得るようにした
ことを特徴とする球流通部材を備える装飾部材。
【請求項１２】
前記受容部の少なくとも１つには、前記分流室に流入した遊技球を、前記第１球通路または第２球通路に向けて通出案内する案内手段が設けられている請求項１０または１１記載の球流通部材を備える装飾部材。
【請求項１３】
前記複数の受容部は、前記案内手段が設けられた第１の受容部と、該案内手段が設けられていない第２の受容部とからなり、該第２の受容部には、第１の受容部から案内手段により遊技球が通出される一方の球通路への遊技球の通出を阻止する規制手段が設けられている請求項１２記載の球流通部材を備える装飾部材。
【請求項１４】
前記回転部材には、前記第２の受容部が前記第１の受容部より多く形成された請求項１３記載の球流通部材を備える装飾部材。
【請求項１５】
前記回転部材は、その重心位置が回転部材の回転中心に対して偏心するよう設定した請求項１０〜１４の何れかに記載の球流通部材を備える装飾部材。
【請求項１６】
前記分流室の球通入口は、その中心を通過する鉛直線が前記回転部材の回転中心から径方向に変移する位置に設けられている請求項１０〜１５の何れかに記載の球流通部材を備える装飾部材。
【請求項１７】
前記球通入口における前記回転部材の回転中心を通過する鉛直線に近接する一方の開口端縁から該回転部材の軸部までの長さ寸法は、前記遊技球の直径寸法より小さく設定され、前記球通入口における回転部材の回転中心を通過する鉛直線から離間する他方の開口端縁から、回転部材の軸部までの長さ寸法は、該遊技球の直径寸法より大きく設定される請求項１６記載の球流通部材を備える装飾部材。
【請求項１８】
前記分流室は、前記球通入口を挟んで第１内面と第２内面とを有し、該球通入口の中心を通過する鉛直線に対して前記軸部とは反対側に位置する第１内面から軸部までの長さ寸法は、前記遊技球の直径より大きく設定されると共に、該球通入口の中心を通過する鉛直線に対して軸部側に位置する第２内面から軸部までの長さ寸法は、該遊技球の直径より小さく設定され、前記球通入口から分流室に流入した遊技球が、前記第２内面側に入り込まないよう構成されている請求項１６記載の球流通部材を備える装飾部材。
【請求項１９】
前記分流室の全部または一部が透視可能な部材で形成されて、前記遊技盤の前面側から前記回転部材を視認し得るようになっている請求項１０〜１８の何れかに記載の球流通部材を備える装飾部材。
【発明の詳細な説明】
【０００１】
【発明の属する技術分野】
この発明は、球流通部材およびこの球流通部材を備える装飾部材に関し、更に詳細には、遊技盤上に画成された遊技領域に打ち出された遊技球が流通する球流通部材およびこの球流通部材を備える装飾部材に関するものである。
【０００２】
【従来の技術】
パチンコ機やアレンジボール機等の遊技機では、機内にセットされる遊技盤の盤面に画成した遊技領域の略中央位置に配設されて、枠状に形成された装飾部材の開口部に、複数の図柄を変動表示して図柄組合わせゲームを行なう液晶式やドラム式等の図柄表示装置が後方から臨み、該装飾部材の下方に図柄表示装置の変動開始条件としての始動入賞具を配設したものが多数提案されている。そして、この種の遊技機では、前記遊技領域に打ち出されたパチンコ球（遊技球）が前記始動入賞具に入球することにより、前記図柄表示装置で図柄組合わせゲームに伴うリーチ演出等の遊技演出がなされ、該図柄表示装置に図柄が所定の組合わせで停止すると、遊技者に有利な特別遊技状態（所謂大当り状態）となるようになっている。このように、大当り状態となるには前記始動入賞具へのパチンコ球の入球が必要とされるため、遊技者は、前記図柄表示装置における図柄組合わせゲームを楽しむと共に、始動入賞具へのパチンコ球の入球にも大きな関心を持って遊技を楽しんでいる。
【０００３】
そこで、前記始動入賞具の上方に位置する前記装飾部材は、その下縁部（所謂ステージ）に該始動入賞具に向けてパチンコ球を流下させる排出部が形成されると共に、装飾部材の所要部位に、前記遊技領域に開口する球入口からパチンコ球を取り込んでステージに通出案内する球流通部材が配設され、遊技者に対してパチンコ球の始動入賞具への入球を期待させるよう構成されている。また、前記装飾部材のステージに、前記始動入賞具への入球確率の異なる２つの通路を画成して、始動入賞具へのパチンコ球の入球に遊技者がより関心を持つようにしたものもある。
【０００４】
例えば、前記装飾部材に、比較的低確率でパチンコ球を始動入賞具に向けて案内する第１ステージと、該第１ステージより高確率でパチンコ球を始動入賞具に向けて案内する第２ステージとを形成すると共に、前記球流通部材に、第１ステージに連通する第１球通路と、第２ステージに連通する第２球通路とを形成し、該球流通部材の球入口から通入したパチンコ球の勢いに応じて、パチンコ球が該第１球通路または該第２球通路の何れかに通出するよう構成したものがある（例えば、特許文献１参照）。また、前記球流通部材に、定期的または遊技状態に応じて駆動するよう制御された振分装置を配設し、該振分装置の駆動状態に応じて、前記球入口から球流通部材内に通入したパチンコ球が、前記第１ステージまたは第２ステージの何れかに選択的に通出されるよう構成したものも提案されている（例えば、特許文献２参照）。
【０００５】
【特許文献１】
特許第３３１９４４４号公報
【特許文献２】
特許第３３３５７２７号公報
【０００６】
【発明が解決しようとする課題】
ところで、前述の如くパチンコ球が前記球入口に通入した際の勢いにより、前記第１球通路（第１ステージ）または第２球通路（第２ステージ）に選択的に通出するよう構成した場合には、該球入口に通入したパチンコ球の挙動が単調になり、当該パチンコ球が複雑な動作をすることによる遊技の興趣が損なわれる欠点がある。また、前記振分装置を利用してパチンコ球を通出案内させるよう構成した場合であっても、該パチンコ球の挙動は、振分装置の駆動状態で決定されてしまうので、該パチンコ球が複雑な動作をすることによる遊技の興趣が損なわれてしまう。更に、前記振分装置は、モータ等の駆動手段が必要となるため、前記球流通部材（装飾部材）の部品点数が増加したり、該球流通部材の構造が複雑化して組付け作業が煩雑となると共に、製造コストが嵩む問題が指摘される。更にまた、前記駆動手段を動作制御する制御プログラムを別途設計する必要が生ずると共に、ＲＯＭ（Ｒｅａｄ  Ｏｎｌｙ  Ｍｅｍｏｒｙ）の記憶容量を圧迫して、他の遊技演出が制限されることにもなる。
【０００７】
【発明の目的】
本発明は、前述した従来の技術に内在している前記課題に鑑み、これを好適に解決するべく提案されたものであって、簡単かつ安価な構成で、遊技球の挙動を多様化して興趣に富んだ遊技が可能な球流通部材およびこの球流通部材を備える装飾部材を提供することを目的とする。
【０００８】
【課題を解決するための手段】
前記課題を克服し、所期の目的を好適に達成するため、本発明に係る球流通部材は、
遊技盤（Ｊ）に配設され、該遊技盤（Ｊ）に画成された遊技領域（Ｉ）における遊技球（Ｓ）の落下流通を許容する球流通部材（３０）であって、
前記遊技領域（Ｉ）を流下する遊技球（Ｓ）を球入口（３２ａ）を介して通入させる球導入路（３２）と、
前記球導入路（３２）の下流側に連通接続し、球通入口（３４ａ）を介して前記遊技球（Ｓ）を流入させる分流室（３４）と、
前記分流室（３４）に連通接続し、該分流室（３４）から流入した前記遊技球（Ｓ）を球出口（３７ｂ）から前記遊技領域（Ｉ）に通出させる第１球通路（３７）と、
前記分流室（３４）に連通接続し、該分流室（３４）から流入した前記遊技球（Ｓ）を球出口（３９ｂ）から前記遊技領域（Ｉ）に通出させる第２球通路（３９）と、
前記分流室（３４）内に回動可能に配設され、該分流室（３４）に流入する前記遊技球（Ｓ）を個別に収容可能な複数の受容部（５１，５３）を有し、該受容部（５１，５３）に収容された遊技球（Ｓ）の自重により回動される回転部材（４１）とからなり、
前記受容部（５１，５３）に収容した前記遊技球（Ｓ）を、前記回転部材（４１）の回動に伴い分流室（３４）から前記第１球通路（３７）または第２球通路（３９）の何れかに通出させるよう構成したことを特徴とする。
【０００９】
また、前記受容部（５１）の少なくとも１つに、前記分流室（３４）に流入した遊技球（Ｓ）を、前記第１球通路（３７）または第２球通路（３９）に向けて通出案内する案内手段（４６）を設けることもできる。
【００１０】
更に、前記複数の受容部（５１，５３）を、前記案内手段（４６）が設けられた第１の受容部（５１）と、該案内手段（４６）が設けられていない第２の受容部（５３）とから構成し、該第２の受容部（５３）に、第１の受容部（５１）から案内手段（４６）により遊技球（Ｓ）が通出される一方の球通路（３９）への遊技球（Ｓ）の通出を阻止する規制手段（４４）を設けるようにしてもよい。
【００１１】
更にまた、前記回転部材（４１）に、前記第２の受容部（５３）を前記第１の受容部（５１）より多く形成することも可能である。
【００１２】
そして、前記回転部材（４１）の重心位置を、回転部材（４１）の回転中心に対して偏心するよう設定してもよい。
【００１３】
また、前記分流室（３４）の球通入口（３４ａ）を、その中心を通過する鉛直線（Ｘ１）が前記回転部材（４１）の回転中心から径方向に変移する位置に設けることもできる。
【００１４】
更にまた、前記球通入口（３４ａ）における前記回転部材（４１）の回転中心を通過する鉛直線（Ｘ２）に近接する一方の開口端縁から該回転部材（４１）の軸部（４２）までの長さ寸法（Ｌ２）は、前記遊技球（Ｓ）の直径寸法より小さく設定され、前記球通入口（３４ａ）における回転部材（４１）の回転中心を通過する鉛直線（Ｘ２）から離間する他方の開口端縁から回転部材（４１）の軸部（４２）までの長さ寸法（Ｌ１）は、該遊技球（Ｓ）の直径寸法より大きく設定されるようにしてもよい。
【００１５】
そして、前記分流室（３４）は、前記球通入口（３４ａ）を挟んで第１内面（３５）と第２内面（３６）とを有し、該球通入口（３４ａ）の中心を通過する鉛直線（Ｘ１）に対して前記軸部（４２）とは反対側に位置する第１内面（３５）から軸部（４２）までの長さ寸法は、前記遊技球（Ｓ）の直径より大きく設定されると共に、該球通入口（３４ａ）の中心を通過する鉛直線（Ｘ１）に対して軸部（４２）側に位置する第２内面（３６）から軸部（４２）までの長さ寸法は、該遊技球（Ｓ）の直径より小さく設定され、前記球通入口（３４ａ）から分流室（３４）に流入した遊技球（Ｓ）が、前記第２円弧面（３６）側に入り込まないよう構成することもできる。
【００１６】
なお、前記分流室（３４）の全部または一部を透視可能な部材で形成し、前記遊技盤（Ｊ）の前面側から前記回転部材（４１）を視認し得るようにしてもよい。
【００１７】
また、前記課題を克服し、所期の目的を好適に達成するため、本願の別の発明に係る球流通部材を備える装飾部材は、
前記遊技盤（Ｊ）に画成した遊技領域（Ｉ）に配設され、該遊技領域（Ｉ）に設けられた入賞具（１１）に向けて遊技球（Ｓ）を案内する球誘導路（２４，２７）を本体（２１）の内側下部に形成してなる装飾部材であって、
前記本体（２１）に、
前記遊技領域（Ｉ）を流下する遊技球（Ｓ）を球入口（３２ａ）を介して通入させる球導入路（３２）と、前記球導入路（３２）の下流側に連通接続し、球通入口（３４ａ）を介して前記遊技球（Ｓ）を流入させる分流室（３４）と、前記分流室（３４）に連通接続し、該分流室（３４）から流入した前記遊技球（Ｓ）を第１球出口（３７ｂ）から通出させる第１球通路（３７）と、前記分流室（３４）に連通接続し、該分流室（３４）から流入した前記遊技球（Ｓ）を第２球出口（３９ｂ）から通出させる第２球通路（３９）と、前記分流室（３４）内に回動可能に配設され、該分流室（３４）に流入する前記遊技球（Ｓ）を個別に収容可能な複数の受容部（５１，５３）を有し、該受容部（５１，５３）に収容された遊技球（Ｓ）の自重により回動される回転部材（４１）とを備え、前記受容部（５１，５３）に収容した前記遊技球（Ｓ）を、前記回転部材（４１）の回動に伴い分流室（３４）から前記第１球通路（３７）または第２球通路（３９）の何れかに通出させる球流通部材（３０）が配設され、
前記第１球通路（３７）の第１球出口（３７ｂ）または第２球通路（３９）の第２球出口（３９ｂ）から前記球誘導路（２４，２７）に遊技球（Ｓ）を通出するよう構成したことを特徴とする。
【００１８】
更に、前記課題を克服し、所期の目的を好適に達成するため、本願の更に別の発明に係る球流通部材を備える装飾部材は、
前記遊技盤（Ｊ）に画成した遊技領域（Ｉ）に配設され、該遊技領域（Ｉ）に設けられた入賞具（１１）に向けて遊技球（Ｓ）を案内する球誘導路（２４，２７）を本体（２１）の内側下部に形成してなる装飾部材であって、
前記本体（２１）に、
前記遊技領域（Ｉ）を流下する遊技球（Ｓ）を球入口（３２ａ）を介して通入させる球導入路（３２）と、前記球導入路（３２）の下流側に連通接続し、球通入口（３４ａ）を介して前記遊技球（Ｓ）を流入させる分流室（３４）と、前記分流室（３４）に連通接続し、該分流室（３４）から流入した前記遊技球（Ｓ）を第１球出口（３７ｂ）から前記本体（２１）の内側下部に通出させる第１球通路（３７）と、前記分流室（３４）に連通接続し、該分流室（３４）から流入した前記遊技球（Ｓ）を第２球出口（３９ｂ）から前記本体（２１）の内側下部に通出させる第２球通路（３９）と、前記分流室（３４）内に回動可能に配設され、該分流室（３４）に流入する前記遊技球（Ｓ）を個別に収容可能な複数の受容部（５１，５３）を有し、該受容部（５１，５３）に収容された遊技球（Ｓ）の自重により回動される回転部材（４１）とを備え、前記受容部（５１，５３）に収容した前記遊技球（Ｓ）を、前記回転部材（４１）の回動に伴い分流室（３４）から前記第１球通路（３７）または第２球通路（３９）の何れかに通出させる球流通部材（３０）が配設され、
前記球誘導路は、前記第１球通路（３７）の第１球出口（３７ｂ）に連接される第１球誘導路（２４）と、前記第２球通路（３９）の第２球出口（３７ｂ）に連接される第２球誘導路（２７）とからなり、
前記第１球通路（３７）を介して前記第１球誘導路（２４）に通出する前記遊技球（Ｓ）の前記入賞具（１１）への入賞確率と、前記第２球通路（３９）を介して前記第２球誘導路（２７）に通出する遊技球（Ｓ）の入賞具（１１）への入賞確率とに差を設け得るようにしたことを特徴とする。
【００１９】
また、前記球流通部材を備える装飾部材としては、前記受容部（５１）の少なくとも１つに、前記分流室（３４）に流入した遊技球（Ｓ）を前記第１球通路（３７）または第２球通路（３９）に向けて通出案内する案内手段（４６）を設けることもできる。
【００２０】
更に、前記球流通部材を備える装飾部材としては、前記複数の受容部（５１，５３）を、前記案内手段（４６）が設けられた第１の受容部（５１）と、該案内手段（４６）が設けられていない第２の受容部（５３）とから構成し、該第２の受容部（５３）に、第１の受容部（５１）から案内手段（４６）により遊技球（Ｓ）が通出される一方の球通路（３９）への遊技球（Ｓ）の通出を阻止する規制手段（４４）を設けるようにしてもよい。
【００２１】
更にまた、前記球流通部材を備える装飾部材としては、前記回転部材（４１）に、前記第２の受容部（５３）を前記第１の受容部（５１）より多く形成することも可能である。
【００２２】
そして、前記球流通部材を備える装飾部材としては、前記回転部材（４１）の重心位置を、回転部材（４１）の回転中心に対して偏心するよう設定してもよい。
【００２３】
また、前記球流通部材を備える装飾部材としては、前記分流室（３４）の球通入口（３４ａ）を、その中心を通過する鉛直線（Ｘ１）が前記回転部材（４１）の回転中心から径方向に変移する位置に設けることもできる。
【００２４】
更にまた、前記球流通部材を備える装飾部材としては、前記球通入口（３４ａ）における前記回転部材（４１）の回転中心を通過する鉛直線（Ｘ２）に近接する一方の開口端縁から該回転部材（４１）の軸部（４２）までの長さ寸法（Ｌ２）は、前記遊技球（Ｓ）の直径寸法より小さく設定され、前記球通入口（３４ａ）における回転部材（４１）の回転中心を通過する鉛直線（Ｘ２）から離間する他方の開口端縁から回転部材（４１）の軸部（４２）までの長さ寸法（Ｌ１）は、該遊技球（Ｓ）の直径寸法より大きく設定されるようにしてもよい。
【００２５】
そして、前記球流通部材を備える装飾部材としては、前記分流室（３４）は、前記球通入口（３４ａ）を挟んで第１内面（３５）と第２内面（３６）とを有し、該球通入口（３４ａ）の中心を通過する鉛直線（Ｘ１）に対して前記軸部（４２）とは反対側に位置する第１内面（３５）から軸部（４２）までの長さ寸法は、前記遊技球（Ｓ）の直径より大きく設定されると共に、該球通入口（３４ａ）の中心を通過する鉛直線（Ｘ１）に対して軸部（４２）側に位置する第２内面（３６）から軸部（４２）までの長さ寸法は、該遊技球（Ｓ）の直径より小さく設定され、前記球通入口（３４ａ）から分流室（３４）に流入した遊技球（Ｓ）が、前記第２円弧面（３６）側に入り込まないよう構成することもできる。
【００２６】
なお、前記球流通部材を備える装飾部材としては、前記分流室（３４）の全部または一部を透視可能な部材で形成し、前記遊技盤（Ｊ）の前面側から前記回転部材（４１）を視認し得るようにしてもよい。
【００２７】
【作用】
本発明によれば、球流通部材の分流室に流入した遊技球は、回転部材の回転を伴って第１球通路または第２球通路の何れかに通出されるから、該遊技球の挙動が複雑となって遊技の興趣が増大される。また、球流通部材を流通する遊技球の挙動を予測するのは困難となるので、遊技演出が単調となることはない。また、回転部材における少なくとも１つの受容部に案内手段を設けることにより、該受容部に収容された遊技球は所定の球通路に向けて通出案内されるから、遊技球の収容される受容部によりその挙動を変化させ得る。このとき、案内手段を形成していない受容部に、該案内手段が案内する球通路への通出を阻止する規制部材を形成することで、遊技球の挙動をより明確に区別することができる。
【００２８】
また、前記回転部材の重心位置を偏心させることで、該回転部材の静止状態または回動状態に応じて遊技球が通出し得る球通路を変化して、遊技演出の多様化を図り得る。更に、分流室の球通入口の中心を通過する鉛直線を、回転部材の回転中心から径方向に変移する位置に設けることにより、該分流室に流入した遊技球を回転部材の特定方向から当接させて、当該回転部材を一定方向に円滑に回転させることが可能となる。更にまた、前記分流室を透視可能にすることで、遊技者が分流室内の回転部材の動作を視認し得るようになり、遊技の興趣がより増大される。そして、前記球流通部材を、遊技者の関心が集まる入賞具に近接する装飾部材に配設することで、より一層遊技の興趣が引き立てられる。
【００２９】
【発明の実施の形態】
次に、本発明に係る球流通部材およびこの球流通部材を備える装飾部材につき、好適な実施例を挙げて、添付図面を参照しながら以下詳細に説明する。なお、本実施例では、遊技機としてパチンコ機を例に挙げて説明するが、遊技機としてはアレンジボール機等であってもよい。また、本実施例において、前・後、および左・右とは、図１に示すように遊技盤Ｊを正面側から見た状態で指称するものとする。
【００３０】
（遊技盤について）
実施例に係るパチンコ機の機内に配設された遊技盤Ｊには、図１に示すように、その盤面に略円形状に湾曲形成したレール１０が配設されて、該レール１０の内部に遊技領域Ｉが画成されている。そして、パチンコ機に配設された操作ハンドル（図示せず）を操作することにより、図示しない上球皿内に貯留されているパチンコ球（遊技球）Ｓが、前記レール１０に沿って遊技領域Ｉに打ち出されて該領域Ｉを流下するよう構成される。
【００３１】
前記遊技領域Ｉ内の盤面には、縦央やや下部に、パチンコ球Ｓをスイッチで検出し得る始動入賞具（入賞具）１１が配設されると共に、この始動入賞具１１の直上方には遊技盤Ｊを装飾する大型の枠状に形成された装飾部材２０が配設され、更に始動入賞具１１の直下方には大型電動式の入賞装置Ｍが配設されている。また、前記装飾部材２０に開設した後述する開口部２１ａに、図柄表示装置Ｋが後方から臨み、前記始動入賞具１１へのパチンコ球Ｓの入賞に対応して図柄組合わせゲームが展開されて、図柄が所定の組合わせで停止すると、遊技者に有利な大当り状態となるようになっている。なお、前記遊技盤Ｊにおける遊技領域Ｉには、パチンコ球Ｓの流れに変化を与えて前記始動入賞具１１や入賞装置Ｍへ誘導する多数の釘１２が打設してある。また、図１中の符号１６はアウト口を示す。更に、始動入賞具１１および入賞装置Ｍの左右両側には、遊技状態に応じて照射パターンが変更制御される電飾装置１４，１４が配設されている。
【００３２】
前記入賞装置Ｍは、図柄組合わせゲームで成立した「大当り」に対して開成作動条件が付与される大型の入賞装置であって、特別入賞具１７に対設された扉状の開閉板１８が、後側の電磁ソレノイドに係る設定駆動条件に基づいて、通常の閉鎖状態から開放状態に変化され、パチンコ球Ｓの入賞に応じて多数の賞球が払い出されるようになっている。なお、特別入賞具１７の後側内部にセーフ球用のカウントスイッチや、開放作動継続用の特別スイッチが組込まれている（何れも図示せず）。また、入賞装置Ｍの左右両側に、普通入賞具１９，１９が設けてある。
【００３３】
（装飾部材について）
前記装飾部材２０は、図１に示す如く、前記遊技領域Ｉの略中央に配設されて、該領域の左右幅方向の大部分を占める横長の枠状本体（本体）２１に、各種の装飾部品を配設して構成されると共に、該枠状本体２１の略中央位置には、前記図柄表示装置Ｋが整合する開口部２１ａが開設されている。図２に示すように、前記枠状本体２１は、前記遊技盤Ｊの前面側に露出する装飾部２２ａと、該装飾部２２ａの後側に配設されて、ＬＥＤ等の発光体（図示せず）等が取り付けられる台部２２ｂとから構成され、該台部２２ｂを遊技盤Ｊに開設した装着孔（図示せず）に前側から挿入したもとで、該装飾部２２ａが前側から遊技盤Ｊにネジ止めされる。また、前記枠状本体２１（装飾部２２ａ）の下方位置において、前記始動入賞具１１の上方に臨む位置（枠状本体２１の略中央位置）には、前側に開口する球排出路２１ｂが前後方向に画成されており、該球排出路２１ｂから通出するパチンコ球Ｓが前記始動入賞具１１に向けて流下するようになっている。なお、前記球排出路２１ｂから通出したパチンコ球Ｓの略全てが、前記始動入賞具１１に入賞するよう設定してある。
【００３４】
図２または図３に示すように、前記枠状本体２１における内側左方部（内周左側縁部）には、前記遊技領域Ｉを流下するパチンコ球Ｓの流通を許容する球流通部材３０が配設されている。また、前記枠状本体２１の内側下部（内周下縁部）には、前記球流通部材３０から通出したパチンコ球Ｓや、遊技領域Ｉに打ち出されて前記釘１２により変向されたパチンコ球Ｓが直接流通し得る第１球誘導路２４および第２球誘導路２７が、前後の関係で形成されている。
【００３５】
前記第１球誘導路２４は、図３〜図５に示すように、前記枠状本体２１の内周下縁部における前側に上下方向に起伏するよう形成され、前記球流通部材３０に形成された第１球通路３７（後述）の第１球出口３７ｂに連接している。また、前記第１球誘導路２４は、前記第１球出口３７ｂとの連接部位から右方向に向かうにつれて下方傾斜した後に、反転して上方傾斜して略中央位置（始動入賞具１１の上方位置）に到達する緩やかに起伏した波状に形成され、その略中央位置を中心として左右対称に形成される（図１参照）。なお、図１〜図５に示すように、前記第１球誘導路２４が上方に盛り上がった略中央位置の下方に、前記球排出路２１ｂの球排出口２１ｃが形成されている。そして、前記第１球誘導路２４における最下方位置（下方傾斜から上方傾斜に変位する変位点で始動入賞具１１の上方左右両側）には、前方に向けて傾斜する第１排出部２５ａ，２５ａが形成されて、該第１排出部２５ａ，２５ａからパチンコ球Ｓを遊技盤Ｊの前側（遊技領域Ｉ）に流出し得るようになっている。また、第１球誘導路２４の最上方位置（略中央位置）には、後述する隙間２９に向けて後方に傾斜する第２排出部２５ｂが形成されており、パチンコ球Ｓを該隙間２９を介して前記球排出路２１ｂに通出案内するよう構成される。なお、前記第１球誘導路２４の前端縁における前記第１排出部２５ａ，２５ａを形成していない部位に、上方に延出する第１フランジ２４ａを形成してある。すなわち、前記第１球誘導路２４を流通するパチンコ球Ｓは、前記第１排出部２５ａ，２５ａまたは第２排出部２５ｂから前後に流出するようになっている。
【００３６】
このため、前記第１球誘導路２４を移動するパチンコ球Ｓは、該第１球誘導路２４に沿って左右に往復移動し、前記第１球排出部２５ａ，２５ａで勢いが減衰すると、該パチンコ球Ｓは、該第１球排出部２５ａ，２５ａから遊技盤Ｊの前側に落下し、該遊技盤Ｊに打設した前記釘２４と接触して流下方向を変えつつ前記始動入賞具１１、普通入賞具１９あるいはアウト口１６に向けて流下する。従って、前記第１球誘導路２４を移動するパチンコ球Ｓの多くは、前記第１排出部２５ａ，２５ａから落下することになり、該第１球誘導路２４を移動するパチンコ球Ｓの始動入賞具１１への入賞確率は低くなっている。
【００３７】
一方、前記第２球誘導路２７は、図３〜図５に示すように、前記第１球誘導路２４の後方側に形成され、前記枠状本体２１の左右方向の略中央位置（始動入賞具１１の上方位置）において所要間隔離間して左右対称に形成される第１案内部２８ａと第２案内部２８ｂとから構成される。そして、前記第１案内部２８ａと第２案内部２８ｂとの間に形成される前記隙間２９が、前記球排出路２１ｂに連通するようになっている。また、前記第１案内部２８ａは、前記球流通部材３０に形成される第２球通路３９（後述）の第２球出口３９ｂに連接されると共に、該第２球出口３９ｂとの連接部位から右方向に向かうにつれて一定の角度で下方傾斜して隙間２９に至っている。従って、前記第２球通路３９から前記第２球誘導路２７（第１案内部２８ａ）に通出したパチンコ球Ｓは、第１案内部２８ａの端部から隙間２９を介して前記球排出路２１ｂに流入し、前記始動入賞具１１に向けて案内される。
【００３８】
前記第２球誘導路２７の前端縁には、その略全長に亘って第２フランジ２７ａが形成されて、該第２球誘導路２７を流通するパチンコ球Ｓが、前記第１球誘導路２４や遊技盤Ｊの前側に落下するのを防止するようになっている。従って、前記第２球誘導路２７を移動するパチンコ球Ｓの多くは、前記球排出路２１ｂに通入して、前記始動入賞具１１に向けて案内される。すなわち、前記第２球誘導路２７からの始動入賞具１１への入賞確率は、前記第１球誘導路２４から始動入賞具１１への入賞確率より高確率に設定される。なお、前記隙間２９の前側には、フランジ２７ａは形成されておらず、前記第１球誘導路２４の第２排出部２５から球排出路２１ｂへのパチンコ球Ｓの通入を許容するようになっている。
【００３９】
（球流通部材について）
図３、図６または図７に示すように、前記球流通部材３０は、遊技盤Ｊの前側から透視可能な透明樹脂で形成された前半体３１と、該前半体３１の後方に配設される後半体３８とから一体的に取扱い得るよう構成されて、該後半体３８の後方側に、前記装飾部材２０の台部２２ｂが当接している。前記前半体３１には、前記枠状本体２１の左側上部位置において前方に向かって開口する球入口３２ａを介して遊技領域Ｉに連通する球導入路３２と、該球導入路３２の下流側に球通入口３４ａを介して連通接続する分流室３４と、第１球通出口３７ａを介して分流室３４に連通接続すると共に、第１球出口３７ｂを介して遊技領域Ｉ（枠状本体２１の内側下部）に開放し、上下方向に延在する第１球通路３７とが画成される。また、前記分流室３４内には、パチンコ球Ｓを個別に収容可能な第１および第２の受容部５１，５３が形成されて、該受容部５１，５３に収容された遊技球Ｓの自重により回動する回転部材４１が配設されている。
【００４０】
一方、前記後半体３８は、前記前半体３１の後方に整合され、前記分流室３４の後方に開放した第２球通出口３９ａを介して分流室３４に連通接続し、第２球出口３９ｂを介して遊技領域Ｉ（枠状本体２１の内側下部）に開放する第２球通路３９が画成されている。また、前記第１球通路３７の第１球出口３７ｂに、前記第１球誘導路２４が連接すると共に、前記第２球通路３９の第２球出口３９ｂに、前記第２球誘導路２７が連接するようになっている。
【００４１】
すなわち、前記球流通部材３０は、前記遊技領域Ｉを流下するパチンコ球Ｓが前記球入口３２ａを介して球導入路３２に通入し、前記球通入口３４ａを介して該球導入路３２から前記分流室３４に流入したパチンコ球Ｓは、前記回転部材４１の第１の受容部５１または第２の受容部５３に収容される。そして、前記受容部５１，５３に収容されたパチンコ球Ｓは、前記回転部材４１の回動に伴い、前記第１球通出口３７ａまたは第２球通出口３９ａを介して前記第１球通路３７または第２球通路３９の何れかに通入した後に、前記第１球誘導路２４または第２球誘導路２７に通出する。なお、前記枠状本体２１の前面には、該枠状本体２１の外方から前記球導入路３２の球入口３２ａに向けて傾斜延在する案内片２１ｄが形成され、前記遊技領域Ｉを流下するパチンコ球Ｓを該球入口３２ａに案内するようになっている（図３参照）。
【００４２】
このように、本実施例における球流通部材３０を配設した装飾部材２０は、前記枠状本体２１に、前記遊技領域Ｉを流下するパチンコ球Ｓを球入口３２ａを介して通入させる球導入路３２と、前記球導入路３２の下方に連通接続し、球通入口３４ａを介して前記パチンコ球Ｓを流入させる分流室３４と、上下方向に延在されて前記分流室３４の下方に連通接続し、該分流室３４から流入した前記パチンコ球Ｓを第１球出口３７ｂから通出させる第１球通路３７と、前記第１球通路３７の後方に形成されて前記分流室３４に連通接続し、該分流室３４から流入した前記パチンコ球Ｓを第２球出口３９ｂから通出させる第２球通路３９と、前記分流室３４内に回動可能に配設され、該分流室３４に流入する前記パチンコ球Ｓを個別に収容可能な複数の受容部５１，５３を有し、該受容部５１，５３に収容されたパチンコ球Ｓの自重により回動される回転部材４１とを備え、前記受容部５１，５３に収容した前記パチンコ球Ｓを、前記回転部材４１の回動に伴い分流室３４から前記第１球通路３７または第２球通路３９の何れかに通出させる球流通部材３０が配設され、前記球誘導路は、上下方向に起伏されて、上下方向に延在する前記第１球通路３７の第１球出口３７ｂに連接される第１球誘導路２４と、該第１球誘導路２４の後側に形成されて、前記第２球通路３９の第２球出口３９ｂに連接される第２球誘導路２７とから構成されている。
【００４３】
（分流室について）
ここで、前記分流室３４は、図７に示すように、該分流室３４における円周上の上方と下方とに離間して開口する前記球通入口３４ａおよび第１球通出口３７ａを挟んで同心円状に形成された第１円弧面（第１内面）３５と第２円弧面（第２内面）３６とから画成されている。そして、分流室３４の左側面を画成する第１円弧面３５から前記回転部材４１の後述する円筒部（軸部）４２までの長さ寸法は、前記パチンコ球Ｓの直径より大きく設定されると共に、分流室３４の右側面を画成する第２円弧面３６から円筒部４２までの長さ寸法は、該パチンコ球Ｓの直径より小さく設定されている。また、前記第２円弧面３６と前記球導入路３２とが連接する前記球通入口３４ａの開口端縁は、第１および第２円弧面３５，３６の中心点（後述の回転軸４１ａ）の上方に臨み、前記第１円弧面３５と前記第１球通路３７とが連通する前記第１球通出口３７ａの開口端縁は、第１および第２円弧面３５，３６の中心点の下方に臨んでいる。更に、前記後半体３８における前記第１および第２円弧面３５，３６の中心点に整列する位置に、回転軸４１ａを枢支する支持部４０が形成されて、該回転軸４１ａの分流室３４に臨む前側に前記回転部材４１が回動可能に配設されている。従って、図７に示すように、前記球通入口３４ａの中心を通過する鉛直線Ｘ１が、前記回転部材４１の回転中心から径方向（左方向）に変位し、前記第１球通出口３７ａの中心を通過する鉛直線Ｘ３が、該回転部材４１の回転中心から径方向（右方向）に変位している。なお、前記回転軸４１ａの前端部は、前記分流室３４の前側を画成する前板３４ｂに形成した支持孔３４ｃに挿入され、該回転軸４１ａを前記支持部４０と支持孔３４ｃとにより回動可能に支持している。
【００４４】
すなわち、図７に示すように、前記分流室３４の球通入口３４ａの中心を通過する鉛直線Ｘ１に対して前記回転部材４１の円筒部４２とは反対側に、前記第１円弧面３５が位置し、該鉛直線Ｘ１に対して該円筒部４２側に、前記第２円弧面３６が位置している。換言すると、前記球通入口３４ａにおける前記回転部材４１の回転中心を通過する鉛直線Ｘ２に近接する一方の開口端縁から該回転部材４１の円筒部４２までの長さ寸法Ｌ２が、前記パチンコ球Ｓの直径寸法より小さくなるよう設定され、球通入口３４ａにおける該回転部材４１の回転中心を通過する鉛直線Ｘ２から離間する他方の開口端縁から回転部材４１の円筒部４２までの長さ寸法Ｌ１が、該パチンコ球Ｓの直径寸法より大きくなるよう設定されている。これにより、前記球通入口３４ａから分流室３４に流入したパチンコ球Ｓが、前記第２円弧面３６と円筒部４２との間に入り込むのは防止され、該球通入口３４ａから到来したパチンコ球Ｓは回転部材４１における円筒部４２の左側に位置する受容部５１，５３に当接して、該回転部材４１が常に同一方向に付勢されて反時計回りに回転される（図８（ａ），（ｂ）参照）。
【００４５】
（回転部材について）
前記回転部材４１は、図６〜図８に示すように、前記回転軸４１ａが挿通される軸孔４２ａが形成された円筒部４２と、該円筒部４２の周方向に所定間隔離間して４箇所に形成された隔壁部材４３ａ，４３ｂ，４３ｃとから基本的に構成され、各隔壁部材４３ａ，４３ｂ，４３ｃの間に、前記球通入口３４ａから流入するパチンコ球Ｓを収容する４つ受容部５１，５３が画成される。なお実施例の回転部材４１では、第１の受容部５１が１箇所画成され、第２の受容部５３が３箇所画成される。なお、前述の如く、前記円筒部４２の外周面と前記第１円弧面３５との離間長さは、パチンコ球Ｓの直径寸法より大きく設定され、各受容部５１，５３に収容されたパチンコ球Ｓが詰まることはない。
【００４６】
ここで、前記第１の受容部５１には、隣接する隔壁部材４３ａ，４３ｂの前端部を連結する補助板４５が形成され、前記各第２の受容部５３には、隣接する隔壁部材４３ａ，４３ｃ（４３ｂ，４３ｃ）（４３ｃ，４３ｃ）の後端縁を連接してパチンコ球Ｓの第２球通出口３９ａへの通出を規制する規制板（規制手段）４４が形成されている。また、前記第１の受容部５１を画成し、該第１の受容部５１が前記球通入口３４ａの下方に位置した際に、該球通入口３４ａに対向する隔壁部材４３ａには、該第１の受容部５１に収容されたパチンコ球Ｓを、前記第２球通路３９に向けて通出させる案内リブ（案内手段）４６が形成してある。すなわち、前記分流室３４に流入したパチンコ球Ｓは、前記第１の受容部５１に収容された際には、前記案内リブ４６に案内されて前記第２球通路３９に通出し、前記第２の受容部５３に収容された際には、前記規制板４４により第２球通路３９への通出が規制されて前記第１球通路３７に通出するようになっている。
【００４７】
なお、前記回転部材４１は、その重心位置が、該回転部材４１の回転中心に対して前記案内リブ４６を形成した前記第１の受容部５１側に偏心しており、該回転部材４１の静止状態において、当該第１の受容部５１が常には下向きとなって前記球通入口３４ａから通入するパチンコ球Ｓが第１の受容部５１には入り難くなっている。また、前記各隔壁部材４３ａ，４３ｂ，４３ｃの径方向端縁部は、前記規制板４４より内側に位置し、該隔壁部材４３ａ，４３ｂ，４３ｃと前記第１および第２の円弧面３５，３６との間に、パチンコ球Ｓが噛み込まれるのを防止している。更に、図６〜図８に示すように、前記第１の受容部５１における回転部材４１の回転方向後側を画成する隔壁部材４３ｂの径方向端縁部（円筒部４２から離間する端縁部）には、該端縁部から円筒部４２に向かうにつれて前記第２の受容部５３側に傾斜する傾斜部４７が形成されており、前記分流室３４に通入したパチンコ球Ｓが、該傾斜部４７に接触した際に、当該回転部材４１を反時計回りに回転させると共に、パチンコ球Ｓを第２の受容部５３側に案内するようになっている。更に、前記第１の受容部５１を画成する前記両隔壁部材４３ａ，４３ｂの径方向外方に位置する前記規制板４４には、切欠部４８，４８が形成されて、パチンコ球Ｓが回転部材４１に接触した際の衝撃を分散するよう構成される。更にまた、前記規制板４４における外周縁部の前面側には、面取り部４９が形成されており、パチンコ球Ｓを第２の受容部５３側に案内するようになっている。
【００４８】
【実施例の作用】
次に、本実施例に係る球流通部材およびこの球流通部材を備える装飾部材の作用につき説明する。
【００４９】
前記操作ハンドルの操作に基づき上球皿に貯留したパチンコ球Ｓが１球ずつ打ち出され、該パチンコ球Ｓは前記レール１０に沿って移動して前記遊技領域Ｉの上部に至る。このパチンコ球Ｓは遊技盤Ｊの盤面上を、前記釘２４により方向を変えられつつ流下し、図１中の始動入賞具１１、入賞装置Ｍの特別入賞具１７および普通入賞具１９，１９等に入るセーフ球と、アウト口１６に回収されるアウト球とに区分されるパチンコゲームが行なわれる。このとき、前記始動入賞具１１にパチンコ球Ｓが入賞した場合には、前記図柄表示装置Ｋにおいて所要の図柄組合わせゲームが展開され、遊技者に有利な「大当り」が成立する期待感を持って遊技がなされる。従って、前記始動入賞具１１に向けてパチンコ球Ｓを案内し得る第１球誘導路２４と第２球誘導路２７とを、遊技者が注視する前記図柄表示装置Ｋに近接して形成することで、該始動入賞具１１へのパチンコ球Ｓの通入に対する遊技者の関心が高まり、遊技の興趣が向上される。
【００５０】
前記遊技領域Ｉを流下するに際し、前記装飾部材２０に設けた前記案内片２１ｄに到来した前記パチンコ球Ｓは、該案内片２１ｄに沿って移動して前記球流通部材３０の前記球入口３２ａから前記球導入路３２に通入すると共に、該球導入路３２に沿って移動して前記分流室３４に案内される。前記分流室３４に流入したパチンコ球Ｓは、前記回転部材４１の第１または第２の受容部５１，５３に収容されて、該パチンコ球Ｓの自重により該回転部材４１が反時計回りに回転されると共に、収容された受容部５１，５３に応じて前記第１球通路３７または第２球通路３９の何れかに通出される。そして、前記第１球通路３７にパチンコ球Ｓが通出した場合には、該パチンコ球Ｓは前記第１球誘導路２４に通出され、第２球通路３９に通出した場合には、第２球誘導路２７に通出される。
【００５１】
このように、単に球流通部材３０に通入したパチンコ球Ｓの勢いにより、該パチンコ球Ｓが第１または第２球通路３７，３９の何れに通出するかが決定されず、前記回転部材４１の回動に伴いパチンコ球Ｓを各球通路３７，３９に振り分けるから、パチンコ球Ｓの挙動が複雑となって予測が困難になる。すなわち、球流通部材３０に通入したパチンコ球Ｓの挙動に対する面白みが増大されるから、遊技に対する興趣がより一段と向上すると共に、演出態様の多様化を図り得る。そして、前記第１球誘導路２４または第２球誘導路２７から通出するパチンコ球Ｓの前記始動入賞具１１への入賞確率が異なり、何れの球誘導路２４，２７に通出するかにより遊技者の利益が大きく異なるから、当該パチンコ球Ｓの挙動に対して遊技者の注意をより引きつけ得ると共に、多彩な遊技演出が可能となる。また、前記回転部材４１は、特別な駆動装置を使用することなくパチンコ球Ｓの自重により回動されるから、前記球流通部材３０の小型化を図り得ると共に、製造コストを低廉に抑えることができる。
【００５２】
前記第１の受容部５１には、第２球通路３９（第２球誘導路２７）に向けてパチンコ球Ｓを通出案内する案内リブ４６が形成されているから、該第１の受容部５１に収容されたパチンコ球Ｓを確実に第２球通路３９に向けて通出させ得る。更に、前記第２の受容部５３には、前記第２球通路３９（第２球誘導路２７）へのパチンコ球Ｓの通出を規制する規制板４４を形成したから、該第２の受容部５３に収容したパチンコ球Ｓの第２球通路３９への通出が阻止されて確実に第１球通路３７に通出させ得る。従って、パチンコ球Ｓを収容した前記第１または第２の受容部５１，５３に応じて対応する球通路３７，３９にパチンコ球Ｓを通出させて、一定条件下で遊技を行ない得るため、遊技者の期待感を損なわせることはない。更に、前記回転部材４１が配設された分流室３４の内部は、前面側から視認し得るよう構成されているから、遊技者は、パチンコ球Ｓが何れの受容部５１，５３に収容されるかを視認し得、該回転部材４１およびパチンコ球Ｓの動きを楽しむことが可能となる。
【００５３】
また、前記回転部材４１の重心位置を偏心させたことにより、静止状態においては前記第１の受容部５１が常には下向きに位置し、最初に前記分流室３４内に通入したパチンコ球Ｓは、第２の受容部５３に収容されて前記第１球通路３７に通出される。一方、前記回転部材４１が静止する前に２つ目のパチンコ球Ｓが前記分流室３４に流入した場合には、そのタイミングにより第１または第２の受容部５１，５３の何れかに収容される。すなわち、前記第１の受容部５１または第２の受容部５３の何れに収容されるかは、偶然に決定されるため、画一的な遊技演出となることはない。
【００５４】
前記分流室３４の球通入口３４ａの中心を通過する鉛直線Ｘ１は、前記回転部材４１の回転中心から径方向（左方向）に変移するよう構成してあるから、前記球通入口３４ａから分流室３４内に流入したパチンコ球Ｓは、前記回転部材４１における円筒部４２の左側に位置する隔壁部材４３ａ，４３ｂ，４３ｃに当接して、図８（ａ），（ｂ）に示すように、該パチンコ球Ｓの自重により隔壁部材４３ａ，４３ｂ，４３ｃを下方に押圧し、該回転部材４１を所定方向（反時計回り）に回動する。すなわち、前記回転部材４１における円筒部４２の右側に位置する受容部５１，５３にパチンコ球Ｓは収容されないから、回転部材４１が反時計回りに回動した際に、円筒部４２の右側に位置する受容部５１，５３にパチンコ球Ｓが収容されて該回転部材４１の動作が滞ることはない。このように、前記回転部材４１を所定方向にのみパチンコ球Ｓで付勢し得るから、該回転部材４１をスムーズに回動させることが可能になる。
【００５５】
更に、前記回転部材４１の回転中心を通過する鉛直線Ｘ２に近接する前記球通入口３４ａの開口端縁から、該回転部材４１の円筒部４２までの長さ寸法Ｌ２をパチンコ球Ｓの直径より小さく設定することで、前記分流室３４に流入したパチンコ球Ｓが、該回転部材４１を逆方向に付勢する方向に前記各受容部５１，５３に収容されることなく、より確実に一定の方向に回動させ得るようになる。なお、前記回転軸４１ａを、前記支持部４０と支持孔３４ｃとにより前後の２点で支持しているから、該回転軸４１ａが経時的に変形して前記回転部材４１の各隔壁部材４３ａ，４３ｂ，４３ｃが前記第１円弧面３５や第２円弧面３６等に接触する畏れはなく、該回転部材４１の回動に不具合が生ずることはない。
【００５６】
そして、前記回転部材４１の各隔壁部材４３ａ，４３ｂ，４３ｃを、前記規制板４４の内側領域に形成してあるから、分流室３４に通入したパチンコ球Ｓが、該隔壁部材４３ａ，４３ｂ，４３ｃと前記第１円弧面３５との間に噛み込まれるのを防止でき、スムーズに回転部材４１を回転させ得る。また、前記第１の受容部５１を画成する回転方向後側の隔壁部材４３ｂの径方向端縁部に傾斜部４７を形成したことで、第２の受容部５３へのパチンコ球Ｓの収容率が高くなり、遊技者のもどかしさが助長されて、より遊技の興趣が高くなる。
【００５７】
なお、前記回転部材４１は、前記分流室３４内部に組付けられて、前記球流通部材３０として一体的に取扱い得るよう構成してあるから、該球流通部材３０の取り付け・取り外し作業を簡単に行なうことが可能である。
【００５８】
【変更例】
なお、球流通部材の形状や配設箇所としては、実施例のものに限られず、種々の変更が可能である。例えば、球流通部材を装飾部材の左側部に設けるようにしたが、該装飾部材の上部に設けることも可能である。この場合には、球流通部材の第１球通路および第２球通路を装飾部材の開口部に沿って形成して、遊技球を第１球誘導路または第２球誘導路に案内するよう構成すればよい。また、前記回転部材に４つの受容部を形成するようにしたが、２つ以上の受容部を形成したものであればよい。更に、前記第１球通路に通出させる第２の受容部を第１の受容部より多く形成するようにしたが、該第１の受容部を多く形成してもよい。更にまた、前記第１球通路と第２球通路を前後の関係で形成する場合に限らず、左右の位置関係や両球通路を離間させて形成するようにしてもよい。なお、実施例では、球流通部材の全体を透視可能な樹脂で形成したが、少なくとも前記分流室の一部を透視可能な部材で形成し、遊技盤の前面側から回転部材を視認し得るよう構成すれば、遊技に対する興趣を向上させることが可能である。
【００５９】
そして、前記回転部材に形成する球通路への案内手段としては、実施例のものに限らず、例えば前記隔壁部材を傾斜させたり、曲面状に形成してもよく、遊技球を特定の球通路に向けて通出案内し得る各種手段を採用することができる。また、実施例における回転部材は、重心位置を回転部材の回転中心に対して偏心するよう構成したが、当該回転部材の重心位置と回転中心とが一致するよう構成してもよい。すなわち、前記回転部材の重心位置を回転中心に対して偏心させた場合には、該回転部材の静止状態において、常に特定の受容部が下向きに位置するため、分流室に通入した１個目の遊技球は特定以外の球通路に通出され、回転部材が回転中に連続して分流室に入った２個目以降の遊技球のみが特定の受容部から特定の球通路に通出する可能性が生ずる。これに対し、回転部材の重心位置と回転中心とを一致させた場合は、遊技球により回転された回転部材が停止する際には特定の受容部が一定の向きに位置することはなく、その停止位置はランダムとなるから、特定の受容部が遊技球を収容し得る位置に停止することに対する期待感を遊技者に与えることができる。また、回転部材が静止した状態で分流室に通入した遊技球は、該回転部材の停止状態に応じて収容される受容部が変化するから、最初に分流室内に通入した遊技球の挙動が複雑になって、遊技の面白みを増大させることができるようになる。なお、遊技球を高確率で入賞具に向けて案内する球誘導路に連通した球通路に遊技球を通出させる受容部が、前記分流室の球通入口に向いて位置した状態で回転部材が静止している場合には、球流通部材内への遊技球の通入に対する遊技者の期待感がより高まり、遊技の興趣を一層増大させることが可能である。
【００６０】
また、前記分流室と球導入路を連通する球通入口の開口端縁を、前記回転部材の回転中心を通過する鉛直線上に形成するようにしたが、該球通入口の中心を通過する鉛直線が、該回転部材の回転中心から径方向に変移する位置に形成すれば、回転部材を所定方向にのみスムーズに回転させることができ、該分流室での遊技球の詰まりを防止し得る。更に、前記分流室を円弧状の第１円弧面と第２円弧面とにより画成するようにしたが、前記回転部材の回転中心を通過する鉛直線に近接する球通入口の開口端縁から該回転部材の円筒部までの長さ寸法を、遊技球の直径寸法より小さく設定すると共に、該回転部材の回転中心を通過する鉛直線から離間する球通入口の開口端縁から、回転部材４１の円筒部４２までの長さ寸法を、該遊技球の直径寸法より大きく設定するようにすれば、分流室の内面の形状は円弧には限定されない。なお、分流室と第１および第２球通路とを連通する第１および第２球通出口は、その何れもが分流室の周面、あるいは後面（軸方向の一端面）に形成されるものであってもよく、また実施例とは反対に第１球通出口を後面に形成すると共に第２球通出口を周面に形成するようにしてもよい。
【００６１】
そして、実施例の如く、前記装飾部材に第１および第２球誘導路を形成する場合に限らず、少なくとも１つの球誘導路を形成して、前記球流通部材の第１球通路または第２球通路の球出口の何れかが連接するよう構成しても、実施例と同様に遊技の多様化を図ることが可能である。なお、この場合には、球誘導路に連通しない球通路の球出口を、直接遊技領域に開口するよう構成すればよい。
【００６２】
更に、実施例では、手前側に位置する第１球誘導路を通出する遊技球の入賞具への入賞確率を、後側に位置する第２球誘導路を通出する遊技球の入賞具への入賞確率より低く設定したが、第１球誘導路を通出する遊技球の入賞確率を高く設定してもよい。更にまた、実施例では第１の受容部を第２の受容部より少なく形成して、入賞確率の高い球誘導路への遊技球の通入割合を低くしたが、第１の受容部を多く形成するようにしてもよい。更に、前記球誘導路を通出する遊技球を、普通入賞具や特別入賞具等に向けて通出案内するよう構成することも可能である。そして、前記球流通部材を配設する箇所としては、前記装飾部材に限らず、例えば遊技機裏側に配設される所謂球樋部材や遊技盤の所要箇所に配設することができ、遊技球が流通する何れの部位にも配設することが可能である。
【００６３】
【発明の効果】
以上に説明したように、本願の請求項１に係る発明の球流通部材によれば、遊技球の自重により回転部材を回動させて、該遊技球を第１球通路または第２球通路に通出させるよう構成したので、球流通部材の小型化を図り得ると共に、製造コストを低廉に抑えることができる。また、回転部材の回動により遊技球を各球通路に振り分けるから、遊技球の動きが複雑となり、遊技に対する興趣を持続し得る。更に、請求項２または３に係る発明によれば、前記回転部材に形成した第１または第２の受容部に収容された遊技球は、各受容部に対応した所定の球通路に通出されるから、一定の条件の下で遊技を行なうことができ、遊技演出効果を損なうことはない。更にまた、請求項４に係る発明によれば、回転部材に第１の受容部を第２の受容部より多く形成することで、遊技演出の多様化を図り得る。そして、請求項５に係る発明によれば、回転部材の静止状態においては特定の受容部を下方に位置させ得るから、該回転部材が静止している場合と回動している場合との間で、特定の受容部への遊技球の収容率を異ならせ、遊技演出を多様化することができる。
【００６４】
また、請求項６に係る発明によれば、球通入口から分流室内に通入した遊技球が回転部材の回転中心から変位したに接触するから、該回転部材を所定方向にスムーズに回動することができる。更に、請求項７または請求項８に係る発明によれば、球通入口から分流室内に通入した遊技球は、該分流室内を所定方向にのみ流下し得るようになるから、より確実に回転部材を所定方向にスムーズに回動させることが可能となる。なお、請求項９に係る発明によれば、遊技者が分流室内を視認でき、第１球通路または第２球通路への遊技球の振り分けに関する興趣が向上される。
【００６５】
また、請求項１０に係る発明の球流通部材を備える装飾部材によれば、遊技者が注視する装飾部材に球流通部材を配設することで、該球流通部材を通出する遊技球の挙動で、遊技者を楽しませることができる。更に請求項１１に係る発明によれば、球流通部材を通出した遊技球が、入賞具への入賞確率が異なる第１または第２球誘導路の何れに通出されるかにより、遊技者の利益が大きく変動するため、該球流通部材での遊技球の振り分けに対する遊技者の関心が高くなり、より一段と遊技の興趣を向上させ得ると共に、遊技演出の多様化を図り得る。なお、請求項１２〜１９に係る発明に関する効果は、対応する請求項２〜９と同様である。
【図面の簡単な説明】
【図１】本発明の実施例に係るパチンコ機の遊技盤を示す正面図である。
【図２】実施例に係る装飾部材を示す斜視図である。
【図３】実施例に係る装飾部材および球流通部材を示す要部拡大斜視図である。
【図４】実施例に係る装飾部材の第１および第２球誘導路を示す要部拡大斜視図であって、（ａ）は遊技球の第１球誘導路における移動態様を示し、（ｂ）は遊技球の第２球誘導路における移動態様を示す。
【図５】実施例に係る装飾部材の縦断側面図である。
【図６】実施例に係る球流通部材の側断面図である。
【図７】実施例に係る分流室を縦断して示す正面図である。
【図８】実施例に係る回転部材を示す斜視図であって、（ａ）は第１の受容部に遊技球を収容した状態を概略で示し、（ｂ）は第２の受容部に遊技球を収容した状態を概略で示す。
【符号の説明】
１１  始動入賞具（入賞具）
２１  枠状本体（本体）
２４  第１球誘導路
２７  第２球誘導路
３２  球導入路
３２ａ  球入口
３４  分流室
３４ａ  球通入口
３５  第１円弧面（第１内面）
３６  第２円弧面（第２内面）
３７  第１球通路
３７ｂ  第１球出口（球出口）
３９  第２球通路
３９ｂ  第２球出口（球出口）
４１  回転部材
４２  円筒部（軸部）
４４  規制板（規制手段）
４６  案内リブ（案内手段）
５１  第１の受容部
５３  第２の受容部
Ｉ  遊技領域
Ｊ  遊技盤
Ｌ１  他方の開口端縁から回転中心までの長さ寸法（第１円弧面の半径）
Ｌ２  一方の開口端縁から回転中心までの長さ寸法（第２円弧面の半径）
Ｓ  パチンコ球（遊技球）
Ｘ１  球通入口の中心を通過する鉛直線
Ｘ２  回転中心を通過する鉛直線
【図１】
2004275274.tif 000003
【図２】
2004275274.tif 000004
【図３】
2004275274.tif 000005
【図４】
2004275274.tif 000006
【図５】
2004275274.tif 000007
【図６】
2004275274.tif 000008
【図７】
2004275274.tif 000009
【図８】
2004275274.tif 000010
【手続補正書】
【提出日】平成16年1月30日(2004.1.30)
【手続補正１】
【補正対象書類名】明細書
【補正対象項目名】００６４
【補正方法】変更
【補正の内容】
【００６４】
また、請求項６に係る発明によれば、球通入口から分流室内に通入した遊技球が回転部材の回転中心から変移した位置に接触するから、該回転部材を所定方向にスムーズに回動することができる。更に、請求項７または請求項８に係る発明によれば、球通入口から分流室内に通入した遊技球は、該分流室内を所定方向にのみ流下し得るようになるから、より確実に回転部材を所定方向にスムーズに回動させることが可能となる。なお、請求項９に係る発明によれば、遊技者が分流室内を視認でき、第１球通路または第２球通路への遊技球の振り分けに関する興趣が向上される。